(57)【特許請求の範囲】
【請求項１】
舗装表面に向けて圧力水を噴射しこの噴射圧力により舗装の空隙に詰まった目詰まり物を前記舗装表面に浮き上がらせる噴射手段と、該舗装表面に浮き上がった目詰まり物を水と共に吸引回収する吸引手段とを備えた装置において、
前記噴射手段は、一方向から前記舗装表面に指向して配置された第１の噴射ノズルと、他方向から前記舗装表面に指向して配置されその指向方向の延長線が前記第１の噴射ノズルの指向方向の延長線と舗装表面より下方で交差するようにされた第２の噴射ノズルとを備え、
前記吸引手段は、前記第１の噴射ノズルから噴射された圧力水の前記舗装表面への衝突位置と前記第２の噴射ノズルから噴射された圧力水の前記舗装表面への衝突位置との間の前記舗装表面を臨む位置に配置され、前記第１の噴射ノズルから噴射された圧力水の前記舗装表面への衝突位置近傍に配置された第１の吸引部と、前記第２の噴射ノズルから噴射された圧力水の前記舗装表面への衝突位置近傍に配置された第２の吸引部と、前記第１の吸引部と前記第２の吸引部との間の前記舗装表面を臨む位置に配置された第３の吸引部とを備え、該第３の吸引部の吸引口を略密閉空間内に配置したことを特徴とする舗装の目詰まり物の除去装置。
【発明の詳細な説明】
【０００１】
【発明の属する技術分野】
本発明は、舗装の空隙、特に排水性舗装の空隙に詰まった土砂や粉塵等の目詰まり物を除去する装置に関する。
【０００２】
【従来の技術】
まず、図５を参照して排水性舗装について説明すると、排水性舗装ａとは、路床ｂの上に路盤ｃ、基層ｄ及び通水可能な空隙ｅを有する表層ｆを順次敷設して形成された舗装をいい、降雨時に表層ｆの空隙ｅに流入した雨水を図示しない側溝に導いて排水することにより、スモーキング現象やハイドロプレーニング現象等の走行安全性を阻害する要因を減らす機能を持つ。また、表層ｆの空隙ｅが吸音能力を有することから、車両走行時のタイヤの騒音を小さくする機能も併せ持つ。尚、排水性舗装の基層ｄ部分は、路盤ｃの保護のために非通水性とされている。
【０００３】
しかしながら、かかる排水性舗装ａにおいては、車両の走行や風等の影響によって表層ｆの空隙ｅに土砂や粉塵等が詰まってしまい、上述した優れた諸機能が比較的短期間で低下してしまう不都合がある。
そこで、排水性舗装の優れた諸機能を回復する装置として、米国特許第４８４５８０１号に記載のものが開示されている。
【０００４】
この装置は、図６に示すように、道路の幅方向に沿って配置された複数のノズルｇを備えたもので、該ノズルｇから排水性舗装ａの表面ｈに対して斜めに高圧水を噴射し、この噴射圧力により表層ｆの空隙ｅに詰まった土砂や粉塵等の目詰まり物を舗装表面ｈに浮き上がらせ、浮き上がった目詰まり物と水との混合水（汚泥水）を吸引ダクトｉによって吸引回収するようにしたものである。
【０００５】
しかしながら、かかる装置においては、単に一方向からのみ舗装表面ｈに対して高圧水を噴射しているため、噴射された高圧水が目詰まり物の大部分を基層ｄに向けて押しやったり、該高圧水の圧力が表層ｆの内部で周囲に拡散してしまう。このため、高圧水の圧力を空隙ｅの目詰まり物に対して有効に作用させることができず、空隙ｅの目詰まり物を十分に除去することができないという不都合がある。
【０００６】
そこで、このような不都合を解消するために、特願平６−３１０７２７号明細書に記載の装置を本出願人等は先に提案した。
この装置は、図７に示すように、一方向から舗装表面ｈに指向して配置された第１の噴射ノズルｊと、他方向から舗装表面ｈに指向して配置された第２の噴射ノズルｋとを備えたもので、第１及び第２の噴射ノズルｊ，ｋの指向方向の各延長線が舗装表面ｈより下方で交差するようにされている。
【０００７】
このように第１及び第２の噴射ノズルｊ，ｋの指向方向の各延長線を舗装表面ｈの下方で交差させることにより、例えば第１の噴射ノズルｊから噴射された高圧水によって空隙ｅの目詰まり物に作用する圧力が、第２の噴射ノズルｋから噴射された高圧水の圧力によって上方以外の逃げ場を失い、この結果、両方向から噴射された高圧水の圧力が目詰まり物を舗装表面ｈに押し上げるように作用し、これにより、高圧水の圧力を空隙ｅの目詰まり物に対して有効に作用させて目詰まり物の浮き上がりを促進するようにしたものである。
【０００８】
そして、舗装表面ｈに浮き上がった目詰まり物は、第１の噴射ノズルｊから噴射された高圧水の舗装表面ｈへの衝突位置と第２の噴射ノズルｋから噴射された高圧水の舗装表面ｈへの衝突位置との間の舗装表面ｈに吸引口ｍを臨ませて配置された吸引ダクトｎによって吸引回収される。吸引ダクトｎの吸引口ｍには、該吸引口ｍを第１の噴射ノズルｊ側と第２の噴射ノズルｋ側とに仕切るゴム板ｏが吸引口ｍから下方に突出して設けられており、該ゴム板ｏにより舗装表面ｈに浮き上がった目詰まり物と水との混合水が周囲へ飛散するのを防止している。
【０００９】
【発明が解決しようとする課題】
しかしながら、かかる装置においては、第１の噴射ノズルｊ又は第２の噴射ノズルｋから噴射された高圧水がゴム板ｏの下端と舗装表面ｈとの間のすき間から反対側に飛び出して周囲に流出することが多く、しかも該すき間の寸法管理もシビアなものが要求される。
【００１０】
また、第１の噴射ノズルｊ側の高圧水噴射と第２の噴射ノズルｋ側の高圧水噴射のバランスが崩れると空隙ｅの目詰まり物の押し上げ力が低下して該目詰まり物と水との混合水を有効に回収することができなくなるという不都合がある。この場合、第１の噴射ノズルｊ側の高圧水噴射と第２の噴射ノズルｋ側の高圧水噴射のバランスを調整して目詰まり物の押し上げ力を高めることが可能であるが、該バランス調整は非常に面倒である。
【００１１】
本発明はかかる不都合を解消するためになされたものであり、舗装の表面に圧力水を噴射した際に、圧力水の圧力を該舗装の空隙に詰まった目詰まり物に対して有効に作用させて該目詰まり物の舗装表面への浮き上がりを促進することができると共に、浮き上がった目詰まり物と水との混合水の吸引回収効率の向上を図ることができる舗装の目詰まり物の除去装置を提供することを目的とする。
【００１２】
【課題を解決するための手段】
かかる目的を達成するために、本発明に係る舗装の目詰まり物の除去装置は、舗装表面に向けて圧力水を噴射しこの噴射圧力により舗装の空隙に詰まった目詰まり物を前記舗装表面に浮き上がらせる噴射手段と、該舗装表面に浮き上がった目詰まり物を水と共に吸引回収する吸引手段とを備えた装置において、前記噴射手段は、一方向から前記舗装表面に指向して配置された第１の噴射ノズルと、他方向から前記舗装表面に指向して配置されその指向方向の延長線が前記第１の噴射ノズルの指向方向の延長線と舗装表面より下方で交差するようにされた第２の噴射ノズルとを備え、前記吸引手段は、前記第１の噴射ノズルから噴射された圧力水の前記舗装表面への衝突位置と前記第２の噴射ノズルから噴射された圧力水の前記舗装表面への衝突位置との間の前記舗装表面を臨む位置に配置され、前記第１の噴射ノズルから噴射された圧力水の前記舗装表面への衝突位置近傍に配置された第１の吸引部と、前記第２の噴射ノズルから噴射された圧力水の前記舗装表面への衝突位置近傍に配置された第２の吸引部と、前記第１の吸引部と前記第２の吸引部との間の前記舗装表面を臨む位置に配置された第３の吸引部とを備え、該第３の吸引部の吸引口を略密閉空間内に配置したことを特徴とする。
【００１３】
【作用】
本発明では、第１及び第２の噴射ノズルによって二方向から舗装表面に向けて噴射される圧力水の噴射方向の各延長線を舗装表面より下方で交差させているので、一方向から噴射された圧力水によって舗装の空隙の目詰まり物に作用する圧力は、他方向から噴射された圧力水の圧力によって上方以外の逃げ場を失い、この結果、両方向から噴射された圧力水の圧力が目詰まり物を舗装表面に押し上げるように作用する。これにより、空隙の目詰まり物に対して圧力水の圧力が有効に作用して該目詰まり物と水との混合水の舗装表面への浮き上がりが促進される。
【００１４】
また、第１の噴射ノズルから噴射された圧力水の舗装表面への衝突位置近傍に浮き上がった目詰まり物は第１の吸引部から水と共に吸引回収され、第２の噴射ノズルから噴射された圧力水の舗装表面への衝突位置近傍に浮き上がった目詰まり物は第２の吸引部から水と共に吸引回収される。この時、第１の噴射ノズル又は第２の噴射ノズルから噴射された圧力水が舗装表面に衝突後に反対側（第２の噴射ノズル側又は第１の噴射ノズル側）に飛び出しても、該飛び出した水は第３の吸引部によって吸引回収される。
【００１５】
さらに、第３の吸引部の吸引口は略密閉空間に配置されているので、第３の吸引部の吸引作用により該空間が負圧状態とされ、これにより、舗装空隙内の水と目詰まり物との混合水の略密閉空間を臨む舗装表面へ向けての流れが促進され、上述した押し上げ作用と相まって該混合水の舗装表面への浮き上がりがより促進される。
【００１６】
【発明の実施の形態】
以下、本発明の実施の形態の一例を図１〜図４を参照して説明する。図１は本発明の実施の形態の一例である排水性舗装の目詰まり物の除去装置を運搬用トラックの後部に取り付けた状態の概略側面図、図２は該除去装置の一部を破断した平面図、図３は図２の▲３▼−▲３▼線断面図、図４は該除去装置を説明するための説明的概略図である。尚、この実施の形態では、舗装として排水性舗装を例に採る。また、排水性舗装の構造については従来例で説明したものと同一であるので従来例と同一符号を付して説明する。
【００１７】
まず、図１〜図３を参照して構成を説明すると、この除去装置は、トラック１の後部に平行リンク機構とシリンダ装置とを組み合わせてなる可動アーム２を介して取り付けられた外箱３を備える。外箱３は、トラック１の幅方向に長い直方体形状をなしており、上部及び下部が開口されている。
外箱３内には、外箱３の長手方向（トラック１の幅方向）に沿って延びる通水管４ａ，４ｂがトラック１の進行方向に互いに離間して配置されている。通水管４ａ，４ｂはトラック１の進行方向の前後側板５ａ，５ｂにブラケット６ａ，６ｂを介して固定されている。図２及び図３に示すように、通水管４ａの下側部には、高圧水を噴射する複数の噴射ノズル７ａ（第１の噴射ノズル）が通水管４ａの軸方向に等間隔で設けられ、一方、通水管４ｂの下側部にも、高圧水を噴射する複数の噴射ノズル７ｂ（第２の噴射ノズル）が噴射ノズル７ａに対向して通水管４ｂの軸方向に等間隔で設けられている。
【００１８】
噴射ノズル７ａ，７ｂは排水性舗装ａの表面ｈに指向しており、噴射ノズル７ａ，７ｂの指向方向の各延長線Ｘ1 ，Ｘ2 は図３に示すように舗装表面ｈより下方で交差するようにされている。また、各通水管７ａ，７ｂには、図１に示すように、高圧水ホース９ｃの一端が接続されており、該高圧水ホース９ｃの他端は後述する高圧水ポンプ２３に接続されている。
【００１９】
ここで、この実施の形態では、各延長線Ｘ1 ，Ｘ2 の交点Ｐを通る鉛直線Ｇと延長線Ｘ1 とのなす角度をθ1 、該鉛直線Ｇと延長線Ｘ2 とのなす角度をθ2 とした場合に、θ1 ＝θ2 ≒３０°〜７５°の範囲とし、また、延長線Ｘ1 と舗装表面ｈとの交点Ｐ1 （噴射ノズル７ａから噴射された高圧水の舗装表面ｈへの衝突位置）と、延長線Ｘ2 と舗装表面ｈとの交点Ｐ2 （噴射ノズル７ｂから噴射された高圧水の舗装表面ｈへの衝突位置）との間隔Ｗを３００〜５００ｍｍ程度とするが、必ずしもこれらに限定するものではなく、各数値（θ1 ，θ2 ，Ｗの値）を適宜調整可能とする。
【００２０】
交点Ｐ1 とＰ2 との間には、噴射ノズル７ａ，７ｂからの高圧水の噴射によって舗装表面ｈに浮き上がった目詰まり物と水との混合水を吸引回収する吸引手段８が配置されている。吸引手段８は、第１の吸引ダクト（第１の吸引部）９、第２の吸引ダクト（第２の吸引部）１０及び第３の吸引ダクト（第３の吸引部）１１とを備える。
【００２１】
第１の吸引ダクト９は、下方に向けて拡がる扇形状をなして外箱３の長手方向に沿って複数配置されており、先端部に外箱３の長手方向に沿って延びる吸引口９ａを有している。第１の吸引ダクト９は、図３において上述した鉛直線Ｇの右側位置で右斜め下方に傾いて吸引口９ａが交点Ｐ1 の手前に達している。
第２の吸引ダクト１０も第１の吸引ダクト９と同様に下方に向けて拡がる扇形状をなして外箱３の長手方向に沿って複数配置されており、先端部に外箱３の長手方向に沿って延びる吸引口１０ａを有している。第２の吸引ダクト１０は、図３において鉛直線Ｇの左側位置で左斜め下方に傾いて吸引口１０ａが交点Ｐ2 の手前に達している。
【００２２】
第３の吸引ダクト１１は、鉛直線Ｇに沿って垂下された吸引管１２を備える。吸引管１２は、外箱３の長手方向に所定の間隔で複数配置されている。各吸引管１２の下端は、外箱３の長手方向に沿って延在された箱体１３に接続されている。
箱体１３は、下部が開口されて長手方向の両端部が外箱３の両端板５ｃ，５ｄまで達している。箱体１３の下部開口が、第３の吸引ダクト１１の吸引口１１ａとされている。そして、上述した第１、第２の吸引ダクト９，１０、及び吸引管１２の各上部は合流してメインダクト１４に接続されている。メインダクト１４には、図１及び図３に示すように、吸引ホース２２の一端が接続されており、吸引ホース２２の他端は後述するレシーバータンク２１を介して真空ポンプ２６に接続されている。
【００２３】
尚、この実施の形態では、各吸引ダクト９，１０，１１の吸引口９ａ，１０ａ，１１ａを交点Ｐ1 とＰ2 との間において舗装表面ｈから１０〜２０ｍｍ上方の位置に開口させているが、必ずしもこれに限定されない。
第１の吸引ダクト９の先端部の裏側（吸引口１１ａ側）には、図３に示すように、外箱３の長手方向に沿って延在されて外箱３内を吸引口９ａ側と吸引口１１ａ側とに仕切る仕切り板１５ａがねじ止め固定されている。仕切り板１５ａは、例えばゴム製の板材等で形成されており、その先端部が吸引口９ａから下方に適宜の長さ突出されて舗装表面ｈを向いている。
【００２４】
第２の吸引ダクト１０の先端部の裏側（吸引口１１ａ側）にも、外箱３の長手方向に沿って延在されて外箱３内を吸引口１０ａ側と吸引口１１ａ側とに仕切る仕切り板１５ｂがねじ止め固定されている。また、箱体１３は該箱体１３の長手方向に沿って延在されたカバー１６によって覆われている。
カバー１６は、第１，２吸引ダクト９，１０間で箱体１３の上部全域を覆うようにされており、トラック１の進行方向の両側部がそれぞれ第１の吸引ダクト９の先端部の裏側及び第２の吸引ダクト１０の先端部の裏側に仕切り板１５ａ，１５ｂと共にねじ止め固定されている。そして、上述した仕切り板１５ａ，１５ｂ、カバー１６及び外箱３の両端板５ｃ，５ｄ下部に取り付けられたシールラバー１９（後述する）によって略密閉空間Ｔを形成して該空間Ｔに第３の吸引ダクト１１の吸引口１１ａを配置している。
【００２５】
外箱３の両側板５ａ，５ｂには、図２及び図３に示すように、ぞれぞれキャスター１７，１８が外箱３の長手方向に互いに離間して取り付けられている。また、外箱３の下部には、該外箱３の下部周縁をシールするシールラバー１９が外箱３の下部から下方に突出した状態で該外箱３の周方向全周に沿って取り付けられている。
【００２６】
尚、図３において符号２０は、高圧水の周囲への飛散を防止すべく第１及び第２の吸引ダクト９，１０の各先端部の表側にねじ止め固定されたガイド板であり、交点Ｐ1 ，Ｐ2 （高圧水の衝突位置）を覆うように外箱３の長手方向に延在されてその両端部が外箱３の両端壁５ｃ，５ｄまで達している。
運搬用トラック１の荷台１ａには、図１及び図４に示すように、後方から前方にかけてレシーバータンク２１、水タンク２４及びエンジン２５が順次並設されている。レシーバータンク２１の上部には、真空ポンプ２６及び該真空ポンプ２６を駆動させる真空ポンプ用油圧モータ２７が取り付けられている。また、レシーバータンク２１には、上述した吸引ホース２２の他端が接続されている。
【００２７】
水タンク２４の下部両側には、再生水用ポンプ２８及び高圧水ポンプ２３が取り付けられている。再生水用ポンプ２８には該ポンプ２８を駆動させる再生水用ポンプ用油圧モータ３０が取り付けられ、また、該ポンプ２８とレシーバタンク２１との間にはフィルター２８ａが介在されている。
高圧水ポンプ２３には該ポンプ２３を駆動させる高圧水ポンプ用油圧モータ３１が取り付けられ、また、高圧水ポンプ２３には上述した高圧水ホース９ｃの他端が接続されている。水タンク２４には給水車３２から給水管３３を介して水が給水されるようになっている。
【００２８】
エンジン２５には、該エンジン２５からの動力伝達により真空ポンプ用油圧モータ２７に作動油を供給する真空ポンプ用油圧ポンプ３４と、該エンジン２５からの動力伝達によりそれぞれ再生水用ポンプ用油圧モータ３０及び高圧水ポンプ用油圧モータ３１に作動油を供給する水ポンプ用油圧ポンプ３５とが取り付けられている。水ポンプ用油圧ポンプ３５と、再生水用ポンプ用油圧モータ３０及び高圧水ポンプ用油圧モータ３１との間には、作動油の供給を制御する油圧制御弁３６が介在されている。
【００２９】
次に、かかる除去装置の作動を説明する。図１に示すように、運搬用トラック１の後部に除去装置を連結して排水性舗装ａの道路を牽引進行しつつエンジン２５を駆動させると、エンジン２５の動力が水ポンプ用油圧ポンプ３５、高圧水ポンプ用油圧モータ３１を介して高圧水ポンプ２３に伝達され、該高圧水ポンプ２３が水タンク２４内の水を高圧水ホース９ｃを介して通水管４ａ，４ｂに送水する。これにより、噴射ノズル７ａ，７ｂから高圧水（この実施の形態では噴射圧力を５０〜６０ｋｇ／ｃｍ2 とする。）が舗装表面ｈに向けて噴射される。
【００３０】
この時、噴射ノズル７ａ，７ｂの指向方向の各延長線Ｘ1 ，Ｘ2 は、舗装表面ｈより下方で交差するようにされており、しかも、排水性舗装ａの基層ｄは非通水性とされているため、噴射ノズル７ａ（又は噴射ノズル７ｂ）から噴射された高圧水によって排水性舗装ａの空隙ｅの目詰まり物に作用する圧力は、噴射ノズル７ｂ（又は噴射ノズル７ａ）から噴射された高圧水の圧力によって上方以外の逃げ場を失い、この結果、各噴射ノズル７ａ，７ｂから噴射された高圧水の圧力が空隙ｅの目詰まり物に対して有効に作用して該目詰まり物を舗装表面ｈに押し上げる。これにより、目詰まり物と水との混合水の舗装表面ｈへの浮き上がりが促進される。
【００３１】
そして、交点Ｐ1 周辺の舗装表面ｈに浮き上がった目詰まり物と水との混合水は、第１の吸引ダクト９の吸引口９ａから吸引され、交点Ｐ2 周辺の舗装表面ｈに浮き上がった目詰まり物と水との混合水は第２の吸引ダクト１０の吸引口１０ａから吸引され、略密閉空間Ｔを臨む舗装表面ｈに浮き上がった目詰まり物と水との混合水は第３の吸引ダクト１１の吸引口１１ａから吸引される。
【００３２】
各吸引ダクト９，１０，１１によって吸引された混合水はメインダクト１４及び吸引ホース２２を介してレシーバータンク２１に回収される。各吸引口９ａ，１０ａ，１１ａへの吸引力の付与は、エンジン２５の動力が真空ポンプ用油圧ポンプ３４から真空ポンプ用油圧モータ２７を介して真空ポンプ２６に伝達されて該真空ポンプ２６が駆動されることによりなされる。
【００３３】
この時、噴射ノズル７ａから噴射された高圧水が交点Ｐ1 に衝突した後に、仕切り板１５ａと舗装表面ｈとのすき間から反対側に飛び出しても該飛び出した水は第３の吸引ダクト１１の吸引口１１ａから吸引されると共に、噴射ノズル７ｂから噴射された高圧水が交点Ｐ2 に衝突した後に、仕切り板１５ｂと舗装表面ｈとのすき間から反対側に飛び出しても該飛び出した水は第３の吸引ダクト１１の吸引口１１ａから吸引されるので、従来のように反対側に飛び出した水が周囲に流出するのを良好に防止することができる。
【００３４】
また、第３の吸引ダクト１１の吸引口１１ａは略密閉空間Ｔに配置されているので、第３の吸引ダクト１１の吸引作用により該空間Ｔが負圧状態とされ、これにより、空隙ｅの目詰まり物と水との混合水の略密閉空間Ｔを臨む舗装表面ｈへ向けての流れが促進され、上述した押し上げ作用と相まって該混合水の舗装表面ｈへの浮き上がりがより促進され、この結果、排水性舗装ａの空隙ｅに詰まった土砂や粉塵等の目詰まり物を効果的に除去することができる。
【００３５】
レシーバータンク２１に吸引回収された目詰まり物と水との混合水は、再生水用ポンプ２８の駆動によりレシーバータンク２１からフィルタ２８ａを通って濾過されたのち水タンク２４に供給されて再利用される。再生水用ポンプ２８の駆動は、エンジン２５の動力が水ポンプ用油圧ポンプ３５から再生水用ポンプ用油圧モータ３０を介して伝達されることによりなされる。また、再生水用ポンプ２８の駆動は、レシーバータンク２１あるいは水タンク２４に設けられた図示しない水位センサ等の検出値に応じて油圧制御弁３６によって制御されるようになっている。
【００３６】
尚、上記実施の形態では、排水性舗装に本発明の除去装置を適用した場合を例に採ったが、これに限定されず、透水性舗装にも本発明の装置を適用してもよい。
【００３７】
【発明の効果】
上記の説明から明らかなように、本発明によれば、両方向から噴射された圧力水の圧力を舗装の空隙に詰まった目詰まり物に対して有効に作用させて該目詰まり物の舗装表面への浮き上がりを促進することができると共に、浮き上がった目詰まり物と水との混合水の周囲への流出を防止して該混合水を効率よく吸引回収することができるという効果が得られる。
【図面の簡単な説明】
【図１】本発明の実施の形態の一例である排水性舗装の目詰まり物の除去装置を車両の後部に取り付けた状態の概略側面図である。
【図２】該除去装置の一部を破断した平面図である。
【図３】図２の▲３▼−▲３▼線断面図である。
【図４】該除去装置を説明するための説明的概略図である。
【図５】排水性舗装を説明するための概略断面図である。
【図６】従来の除去装置を説明するための説明的概略図である。
【図７】従来の除去装置を説明するための説明的概略図である。
【符号の説明】
ａ…排水性舗装
ｈ…舗装表面
ｅ…空隙
Ｘ1 ，Ｘ2 …延長線
Ｐ1 ，Ｐ2 …交点（圧力水の舗装表面への衝突位置）
Ｔ…略密閉空間
７ａ…第１の噴射ノズル
７ｂ…第２の噴射ノズル
９…第１の吸引ダクト（第１の吸引部）
１０…第２の吸引ダクト（第２の吸引部）
１１…第３の吸引ダクト（第３の吸引部）
１１ａ…吸引口（第３の吸引部の吸引口）
１５ａ，１５ｂ…仕切り板
１６…カバー
【図１】
0003675900.tif 000002
【図２】
0003675900.tif 000003
【図３】
0003675900.tif 000004
【図４】
0003675900.tif 000005
【図５】
0003675900.tif 000006
【図６】
0003675900.tif 000007
【図７】
0003675900.tif 000008